(57)【特許請求の範囲】
【請求項１】
検証対象眼科用レンズ（３０）の検証対象光学特性の期待光学特性に対する適合性を、それぞれ不均一なコントラストを有する非変形テスト・パターン（４０）及び変形テスト・パターン（２０）に基づいて検証するための方法であって、以下のステップ：
ａ）一定の光学条件下で、像テスト・パターン（５０）、即ち前記検証対象眼科用レンズ（３０）経由の前記変形テスト・パターン（２０）の像を決定するステップ（Ａ）、
ｂ）検査テスト・パターン（６０）を形成するために、前記像テスト・パターン（５０）を前記非変形テスト・パターン（４０）と結合するステップ（Ｂ）、
ｃ）前記検査テスト・パターン（６０）を少なくとも１つの基準テスト・パターン（７０）と比較するステップ（Ｃ）、及び
ｄ）前記比較するステップ（Ｃ）の比較に応じて前記検証対象光学特性の前記期待光学特性に対する前記適合性を推定するステップ（Ｄ）
を含む検証方法。
【請求項２】
請求項１に記載の検証方法であって、前記変形テスト・パターン（２０）がステップａ）に先立って、前記期待光学特性に応じて決定される検証方法。
【請求項３】
請求項１又は２に記載の検証方法であって、前記変形テスト・パターン（２０）がステップａ）に先立って、前記非変形テスト・パターン（４０）に応じて決定される検証方法。
【請求項４】
請求項３に記載の検証方法であって、更に、ステップａ）に先立ち中間テスト・パターン（８０）に応じて前記変形テスト・パターン（２０）を作成すること（６）を含むステップを含み、前記中間テスト・パターン（８０）は、ステップａ）の前記一定の光学条件下において、前記像テスト・パターン（５０）及び前記変形テスト・パターン（２０）の前記検証対象眼科用レンズ（３０）に対する相対的位置が初期光学条件下における前記非変形テスト・パターン（４０）及び前記中間テスト・パターン（８０）の期待眼科用レンズ（１３０）に対するそれぞれの相対的位置と同じであるように、前記初期光学条件下における前記期待光学特性を有する前記期待眼科用レンズ（１３０）経由の前記非変形テスト・パターン（４０）の像である検証方法。
【請求項５】
請求項４に記載の検証方法であって、前記中間テスト・パターン（８０）が観察瞳孔（１９）の中心からの前記期待眼科用レンズ（１３０）の観察に対応する前記初期光学条件下の光線追跡計算により決定され、前記光線追跡計算は、以下のパラメータ：
−  前記観察瞳孔（１９）の前記期待眼科用レンズ（１３０）に対する位置、
−  前記観察瞳孔（１９）の前記非変形テスト・パターン（４０）に対する位置、又は
―  前記非変形テスト・パターン（４０）の前記期待眼科用レンズ（１３０）に対する位置
の少なくとも１つに応じて実行される検証方法。
【請求項６】
請求項１に記載の検証方法であって、前記非変形テスト・パターン（４０）及び／又は前記変形テスト・パターン（２０）及び／又は前記像テスト・パターン（５０）が、場合により種々の透明度レベルを有する種々の色又は種々の階調レベルの文様のタイル張りから構成される検証方法。
【請求項７】
請求項１に記載の検証方法であって、前記変形テスト・パターン（２０）が前記非変形テスト・パターン（４０）に応じて決定され、それにより前記検査テスト・パターン（６０）が一様なコントラストを有する検証方法。
【請求項８】
請求項１に記載の検証方法であって、前記変形テスト・パターン（２０）が前記非変形テスト・パターン（４０）に応じて決定され、それにより前記検査テスト・パターン（６０）が前記検証対象眼科用レンズ（３０）から独立している認識可能な標識を表す検証方法。
【請求項９】
請求項１に記載の検証方法であって、ステップｂ）が前記像テスト・パターン（５０）を前記非変形テスト・パターン（４０）に重ねることを含む検証方法。
【請求項１０】
検証対象眼科用レンズ（３０）の検証対象光学特性の期待光学特性に対する適合性を検証するための装置（１０）であって、
−  前記検証対象眼科用レンズ（３０）を支えることができる第１支持台（１１）、
−  少なくとも１つの変形テスト・パターン（２０）を支えることができる第２支持台（１２）、及び
−  前記変形テスト・パターン（２０）に光を当てることができる照射手段（１５）、
−  少なくとも像テスト・パターン（５０）を捕捉できる像収集手段（９１）、
−  検査テスト・パターン（６０）を形成するために、前記像テスト・パターン（５０）を非変形テスト・パターン（４０）と結合するための像結合手段（１３；９２；１０３）、及び
−  前記検査テスト・パターン（６０）を少なくとも１つの基準テスト・パターン（７０）と比較し、かつ、この比較に応じて前記検証対象眼科用レンズ（３０）の前記検証対象光学特性の前記期待光学特性に対する前記適合性を推定するようにプログラムされた電子処理手段（９５）
を含み、前記第１支持台（１１）、前記第２支持台（１２）及び前記照射手段（１５）は、前記検証対象眼科用レンズ（３０）が前記第１支持台（１１）上に置かれたときに、前記検証対象眼科用レンズ（３０）経由の前記変形テスト・パターン（２０）の像に対応する前記像テスト・パターン（５０）が形成され得るように配置される、検証装置（１０）。
【請求項１１】
請求項１０に記載の検証装置（１０）であって、前記像収集手段（９１）が前記検査テスト・パターン（６０）の像を捕捉し、かつ、前記捕捉像を前記電子処理手段（９５）に送信する検証装置（１０）。
【請求項１２】
請求項１０に記載の検証装置（１０）であって、前記像収集手段（９１）が前記像テスト・パターン（５０）の像を捕捉し、前記装置は、前記非変形テスト・パターン（４０）を前記像結合手段（９２）に与えることができる記憶装置（９３）も含む検証装置（１０）。
【請求項１３】
請求項１０に記載の検証装置（１０）であって、前記電子処理手段（９５）が、
−  前記像収集手段（９１）及び／又は前記像結合手段（９２）と通信することができるローカル処理装置（９６）、並びに
−  前記ローカル処理装置（９６）とネットワーク経由で通信することができる遠隔処理装置（９８）
を含み、前記検査テスト・パターン（６０）を前記基準テスト・パターン（７０）と比較する動作（Ｃ）及び前記検証対象光学特性の前記期待光学特性に対する前記適合性を推定する動作（Ｄ）は、前記ローカル処理装置（９６）又は前記遠隔処理装置（９８）により行われる検証装置（１０）。
【請求項１４】
請求項１３に記載の検証装置（１０）であって、
−  前記ローカル処理装置（９６）が前記遠隔処理装置（９８）に前記検証対象眼科用レンズ（３０）の基準を伝え、及び
−  前記遠隔処理装置（９８）が前記ローカル処理装置（９６）に前記検証対象眼科用レンズ（３０）に関する前記基準テスト・パターン（７０）を与える
検証装置（１０）。
【請求項１５】
請求項１０に記載の検証装置（１０）であって、前記第１支持台（１１）、前記第２支持台（１２）、前記照射手段（１５）及び前記像収集手段（９１）の相対的位置を調整することを可能にする調整手段を含む検証装置（１０）。
【発明の詳細な説明】
【技術分野】
【０００１】
本発明は、矯正眼科用レンズの光学特性の期待光学特性に対する適合性を検証するための方法に関する。本発明は、矯正眼科用レンズの光学特性の期待光学特性に対する適合性を検証するための装置にも関する。
【背景技術】
【０００２】
眼科用レンズを受け取る眼鏡技師にとって重要なことは、注文した眼科用レンズのすべての光学特性が期待光学特性に実際に一致することを特に対応装着者の処方に応じて迅速かつ簡単に検証できることである。
【０００３】
これは、眼科用レンズが個人向け設計の眼科用レンズの開発により、ますます複雑化した光学特性を有するようになっているため、なおさら当てはまることである。
【０００４】
この理由から、手動レンズメーターにより眼科用レンズの前側度数を測定することが知られている。しかしながら、この種類の装置は、装置の支持台上における眼科用レンズの芯出しに非常に敏感であり、また、局部的な測定、一般的に約５〜１０ミリメートル（ｍｍ）という限られた領域における度数の測定のみを可能にする。これは、例えば、累進レンズの遠方視及び近方視度数の測定のために使用できるであろう。
【０００５】
「レンズマッパ」型の電子レンズメーターは、眼科用レンズの屈折力の完全なマップを作成するが、一般的に高価であり、かつ、使いにくい。
【０００６】
モアレ効果を利用して眼科用レンズの光学パラメータを測定し、例えば、その屈折力のマップの作成を可能にするある特許文献による測定方法も知られている（例えば、特許文献１参照。）。
【０００７】
この測定方法は、両方とも検証対象眼科用レンズを通して観察される２つの周期的格子のそれぞれの像により形成される２つの像の結合を使用する。これらの２つの像は結合されて、干渉模様を形成する。較正ステップが前もって実行されているならば、この模様から、眼科用レンズの光学特性を計算することができる。
【０００８】
したがって、特許文献１の測定方法は、それぞれ測定対象の眼科用レンズを通して投影される２つの別々の格子の使用を必要とし、これにより測定の実行を難しくする。
【０００９】
更に、眼鏡技師にとって、矯正眼科用レンズを受け取った後にそのレンズについて、その設計者により指定された光学設計がレンズ製造業者により実際に順守されたことを検証することも重要である。光学設計（フランス語で、ｃｏｎｃｅｐｔｉｏｎ  ｏｐｔｉｑｕｅ又はｄｅｓｉｇｎ  ｏｐｔｉｑｕｅ）は、必要な矯正に対応する屈折力の分布を生成する。
【００１０】
眼科用レンズの光学設計は、レンズの設計者特有の光学特性である。
【００１１】
したがって、製造された眼科用レンズの期待光学設計に対する適合性を保証するために、例えばレンズの前面に接着剤により接着される偽造防止ラベル（ホログラフィー・タグ、「データ行列」型のバーコード等）などの識別手段を使用することが知られている。これらの識別手段は、眼科用レンズを設計から受領まで追跡すること、及び眼科用レンズの設計者を識別することを可能にする。しかし、この種類の手段は、偽造が容易であり、十分なレベルのセキュリティを保証しない。
【先行技術文献】
【特許文献】
【００１２】
【特許文献１】欧州特許第１３２４０１５号明細書
【発明の概要】
【００１３】
本発明は、眼科用レンズの光学性能を迅速かつ容易に検査する方法を提供する。安価に実行できるこの方法は、眼科用レンズ全体の光学特性の全面的検査又は数カ所の局部領域を対象とする検査を可能にする。
【００１４】
より具体的には、本発明に従って、検証対象眼科用レンズの検証対象光学特性の期待光学特性に対する適合性を、それぞれ不均一なコントラストを有する非変形テスト・パターン及び変形テスト・パターンに基づいて検証するための方法であって、以下のステップ：
ａ）一定の光学条件下で、像テスト・パターン、即ち前記検証対象眼科用レンズ経由の前記変形テスト・パターンの像を決定するステップ、
ｂ）検査テスト・パターンを形成するために、前記像テスト・パターンを前記非変形テスト・パターンと結合するステップ、
ｃ）前記検査テスト・パターンを少なくとも１つの基準テスト・パターンと比較するステップ、及び
ｄ）ステップｃ）の比較に応じて前記検証対象光学特性の前記期待光学特性に対する適合性を推定するステップ
を含む方法を提供する。
【００１５】
前記変形テスト・パターン及び前記非変形テスト・パターンに応じて、局部光学特性、例えば前記検証対象眼科用レンズの遠方視屈折力又は検証対象眼科用レンズのその設計者特有の「光学設計」などの総合光学特性を検証することが可能である。したがって、本発明による方法を使用して前記眼科用レンズの光学性能を検査すること、及び特に前記眼科用レンズの光学設計がその製造中に順守されたか否か検証することができる。「光学設計」の違法複製を検出することもできる。
【００１６】
光学では、「テスト・パターン」は、一般的に光学機器の検査を可能にする手段として定義される。例として、ジーメンス及びフーコーのテスト・パターン又はチェッカーボード「レンズ・チェッカー」テスト・パターンを挙げることができる。
【００１７】
本発明に関連して、表現「テスト・パターン」は、特に、検証対象眼科用レンズを検証するための手段を意味するものと理解される。
【００１８】
本発明の種々の実施形態の記述において、この手段は、場合により、物理的なもの（例えば媒体に印刷されるか又はスクリーン上に表示されるコントラストを有する一連の文様）であるか又はバーチャルなもの（例えばレンズを通して観察されるコントラストを有する物体の像、具体的には別のテスト・パターンの像）のいずれかである。
【００１９】
実際には、この目的のために前記眼科用レンズに前記変形テスト・パターン及び／又は前記非変形テスト・パターンを設けることにより、そのレンズを注文した眼鏡技師が本発明による検証方法を実行してこの検証対象眼科用レンズの光学特性を検査することを可能にすることができる。
【００２０】
有利には、ステップａ）に先立ち、前記期待光学特性に応じて前記変形テスト・パターンを決定するステップを設けることができる。
【００２１】
したがって前記変形テスト・パターンは、前記期待光学特性に関する情報を含んでおり、それにより眼鏡技師が前記検証対象眼科用レンズを検査して前記検証対象眼科用レンズの前記検証対象光学特性の前記期待光学特性に対する適合性を迅速に推定することを可能にする。
【００２２】
更に有利には、ステップａ）に先立ち、前記非変形テスト・パターンに応じて前記変形テスト・パターンを決定するステップを設けることができる。ステップａ）に先立ち中間テスト・パターンに応じて前記変形テスト・パターンを作成する。前記中間テスト・パターンは、ステップａ）の前記一定の光学条件下において、前記像テスト・パターン及び前記変形テスト・パターンの前記検証対象眼科用レンズに対する相対的位置が初期光学条件下における前記非変形テスト・パターン及び前記中間テスト・パターンの前記期待眼科用レンズに対するそれぞれの相対的位置と同じであるように、初期光学条件下における前記期待光学特性を有する期待眼科用レンズ経由の前記非変形テスト・パターンの像である。
【００２３】
これは、特に、原初テスト・パターンの個数の増加を防止し、したがって多数の眼科用レンズを試験しなければならない眼鏡技師による操作誤りを防止することを可能にする。具体的には、眼鏡技師は、本発明による検証方法を使用して任意の像テスト・パターンと結合し得るただ１つの単一の非変形テスト・パターン（それは、注文した検証対象眼科用レンズとともに受け取った変形テスト・パターンから作成される）を扱う。
【００２４】
本発明による方法のその他の非限定的かつ有利な特徴に従って：
−  前記中間テスト・パターンは、観察瞳孔の中心からの前記期待眼科用レンズの観察に対応する前記初期光学条件下の光線追跡計算により決定される。前記光線追跡計算は、以下のパラメータ：
−  前記観察瞳孔の前記期待眼科用レンズに対する位置、
−  前記観察瞳孔の前記非変形テスト・パターンに対する位置、又は
−  前記非変形テスト・パターンの前記期待眼科用レンズに対する位置
の少なくとも１つに応じて実行され、
−  前記非変形テスト・パターン及び／又は前記変形テスト・パターン及び／又は前記像テスト・パターンは、場合により種々の透明度レベルを有する種々の色又は種々の階調レベルの文様のタイル張りから構成され、
−  前記変形テスト・パターンは前記非変形テスト・パターンに応じて決定され、それにより前記検査テスト・パターンは一様なコントラストを有し、
−  前記変形テスト・パターンは前記非変形テスト・パターンに応じて決定され、それにより前記検査テスト・パターンは、前記検証対象眼科用レンズから独立している認識可能な標識を表し、
−  ステップｂ）は、前記像テスト・パターンを前記非変形テスト・パターンに重ねることを含む。
【００２５】
本発明は、検証対象眼科用レンズの検証対象光学特性の期待光学特性に対する適合性を検証するための装置であって、
−  前記検証対象眼科用レンズを支えることができる第１支持台、
−  少なくとも１つの変形テスト・パターンを支えることができる第２支持台、及び
−  前記変形テスト・パターンに光を当てることができる照射手段
−  少なくとも前記像テスト・パターンを捕捉できる像収集手段、
−  検査テスト・パターンを形成するために、前記像テスト・パターンを前記非変形テスト・パターンと結合するための像結合手段、及び
−  前記検査テスト・パターンを少なくとも１つの基準テスト・パターンと比較し、かつ、この比較に応じて前記検証対象眼科用レンズの前記検証対象光学特性の前記期待光学特性に対する適合性を推定するようにプログラムされた電子処理手段
を含み、第１支持台、第２支持台、照射手段は、前記検証対象眼科用レンズが前記第１支持台上に置かれたときに、前記検証対象眼科用レンズ経由の前記変形テスト・パターンの像に対応する像テスト・パターンが形成され得るように配置される、装置も提供する。
【００２６】
以下は、本発明による装置のその他の長所及び非限定的特徴である：
−  前記像収集手段は、前記検査テスト・パターンの像を捕捉し、かつ、前記捕捉像を電子処理手段に送信し、
−  前記像収集手段は、前記像テスト・パターンの像を捕捉し、前記装置は、前記非変形テスト・パターンを前記像結合手段に与えることができる記憶装置も含んでいる。
−  前記電子処理手段は、前記像収集手段及び／又は前記像結合手段と通信することができるローカル処理装置及び前記ローカル処理装置とネットワーク経由で通信することができる遠隔処理装置を含み、前記検査テスト・パターンを前記基準テスト・パターンと比較する前記動作及び前記検証対象光学特性の前記期待光学特性に対する適合性を推定する前記動作は、前記ローカル処理装置又は前記遠隔処理装置により行われ、
−  前記ローカル処理装置は前記遠隔処理装置に前記検証対象眼科用レンズの基準を伝え、及び前記遠隔処理装置は前記ローカル処理装置に前記検証対象眼科用レンズに関する前記基準テスト・パターンを与え、
−  前記装置は、前記第１支持台、前記第２支持台、前記照射手段及び前記像収集手段の互いに対する相対的位置を調整することを可能にする調整手段を含む。
【００２７】
添付図面とともに非限定的例示として与えられる以下の記述は、本発明及びそれを実施できる方法のより良い理解を可能にするであろう。
【図面の簡単な説明】
【００２８】
【図１】図１は、本発明による検証方法のブロック図である。
【図２】図２は、本発明による検証装置の第１実施形態の概要である。
【図３】図３は、非変形テスト・パターンから中間テスト・パターンを決定すること及び変形テスト・パターンを作成することを可能にする光線追跡計算の原理を説明する光学図式である。
【図４】図４は、黒色及び白色の方形文様のタイル張りを含む正方形の非変形テスト・パターンの第１例の正面図である。
【図５】図５は、図４の非変形テスト・パターンから期待眼科用レンズ経由の光線追跡により計算された中間テスト・パターンを示す。
【図６】図６は、図５に示した中間テスト・パターンから決定された変形テスト・パターンを示す。
【図７】図７は、図４の非変形テスト・パターンと像テスト・パターン（それは図６の変形テスト・パターンの像である）を検証対象眼科用レンズ経由で重ね合わせることにより得られる検査テスト・パターンを示す。
【図８】図８は、図７に示した検査テスト・パターンと比較される基準テスト・パターンを示す。
【図９】図９は、本発明による検証装置の第２実施形態の概要である。この装置は、非変形テスト・パターンを与える記憶装置と、ローカル処理装置及び遠隔処理装置とを含む電子処理手段を含んでいる。
【図１０】図１０は、本発明による検証装置の第３実施形態の概要である。この装置では、変形テスト・パターンは、デジタル表示装置から到来する。
【図１１】図１１は、本発明による検証装置の第４実施形態の概要である。転送ミラーを使用するこの装置では、変形テスト・パターン及び非変形テスト・パターンは、デジタル表示装置から到来する。
【図１２】図１２は、検査対象局部領域を含む非変形テスト・パターンの第２例を示す。
【図１３】図１３は、特定の物体図形を含む変形テスト・パターンを示す。
【図１４】図１４は、期待特性に一致しない検証対象光学特性を有する検証対象眼科用レンズ経由で図１３に示した変形テスト・パターンの像を形成することにより得られる特定の像図形を含む像テスト・パターンを示す。
【図１５】図１５は、図１２の非変形テスト・パターンと図１４の像テスト・パターンを重ね合わせることにより得られる検査テスト・パターンを示す。
【図１６】図１６は、図１５の検査テスト・パターンと比較される第１基準テスト・パターンを示す。
【図１７】図１７は、図１５の検査テスト・パターンと比較される第２基準テスト・パターンを示す。
【発明を実施するための形態】
【００２９】
前置きとして、図に示された種々の実施形態の同一又は対応する要素は、同一参照記号により参照し、また、出現の都度の説明は行わないことに留意されたい。
【００３０】
図１は、本発明による検証方法の例示実施形態の概略ブロック図を示す。この方法の実行は、図２、９、１０及び１１などに示す検証対象眼科用レンズ３０の検証対象光学特性が期待光学特性に適合することを検証することを可能にする。
【００３１】
累進眼科用レンズの場合、例えば、遠方視度数、近方視度数又は近方視点と遠方視点間の横方向オフセットの累進長（「ＶＰインセット」と呼ばれる）が問題となる。乱視の矯正を可能にする矯正眼科用レンズでは、追加円柱の度数又は角度が問題となるであろう。
【００３２】
これを行うために、ここで、不均一なコントラストを有する第１テスト・パターン２０（その一例を図６に示す）から出発して、図１のブロックＡにより表されているステップａ）において、一定の光学条件下で像テスト・パターン５０、即ち検証対象眼科用レンズ３０経由の前記第１テスト・パターン２０の像を決定する。
【００３３】
表現「不均一なコントラスト」は、ここでは、第１テスト・パターン２０がコントラストを有する文様を含み、かつ、一様な輝度又は色のものでないことを意味すると理解される。
【００３４】
次に、図１のブロックＢにより示されているステップｂ）において、第２テスト・パターン４０を像テスト・パターン５０と結合して検査テスト・パターン６０を形成する。
【００３５】
図４は、適切な例示第２テスト・パターン４０を示している。これについては、以下においてより詳しく説明する。
【００３６】
図７は、像テスト・パターン５０及び図４に示した第２テスト・パターン４０の重ね合わせに対応する検査テスト・パターン６０を示す。
【００３７】
図１のブロックＣにより示したステップｃ）において、検査テスト・パターン６０を最後に少なくとも１つの基準テスト・パターン７０（それらの一例が図８に示されている）と比較する。
【００３８】
この比較は、この方法のステップｄ）において（図１のブロックＤにより表されているステップ）、検証対象眼科用レンズ３０の光学機能が期待光学特性に適合するか否か推定することを可能にする。
【００３９】
検証対象眼科用レンズ３０の検証対象光学特性が期待光学特性に適合する場合、前記検査テスト・パターン６０は、比較ステップにおいて使用された前記基準テスト・パターン７０とほぼ同じである。
【００４０】
図１〜１７を参照して記述されている本発明による検証方法の例示的実施形態では、第１テスト・パターン２０は変形テスト・パターンであり（図６参照）、また、第２テスト・パターン４０は非変形テスト・パターンである（図４参照）。
【００４１】
これの意味することは、変形テスト・パターン２０が、コントラストを有する最初の文様を含む最初の物体の像を眼科用レンズ経由で決定することにより得られるコントラストを有する文様を含む物体であるということである。
【００４２】
変形テスト・パターン２０の文様は、したがって、光線のこの眼科用レンズの通過により変形された最初の文様に対応する。
【００４３】
対照的に、第２テスト・パターン４０は、非変形テスト・パターンである。そのコントラストを有する文様は、眼科用レンズにより引き起こされる最初の文様のどのような種類の変形によっても決定されない。
【００４４】
有利には、本発明による検証方法を使用すると、ステップａ）に先立ち、前記期待光学特性に応じて、かつ、より具体的には非変形テスト・パターン４０にも応じて前記変形テスト・パターン２０が決定される。
【００４５】
より正確には、変形テスト・パターン２０は、ステップａ）に先立つステップ（図１のブロック２により表されている）において中間テスト・パターン８０から作成されることが好ましい。中間テスト・パターン８０自体は、図１のブロック１により概略的に示されているように、非変形テスト・パターン４０から決定されることが好ましい。
【００４６】
以下においてより詳しく説明する１つの特に有利な実施形態によると、中間テスト・パターン８０は、初期光学条件下における期待光学特性を有する期待眼科用レンズ１３０経由の非変形テスト・パターン４０の像である。
【００４７】
これらの初期光学条件は、上述の方法により形成される像テスト・パターン５０のための一定の光学条件に対応する中間テスト・パターン８０を決定することを可能にする。
【００４８】
したがって、変形テスト・パターン２０及び非変形テスト・パターン４０は、変形テスト・パターン２０が非変形テスト・パターン４０の像からこの期待眼科用レンズ１３０経由で得られるものである限り、期待眼科用レンズ１３０により相互に密接に関係づけられていることが分かる。
【００４９】
具体的には、期待眼科用レンズ１３０は、すべての眼科用レンズと同様に、光学収差を含んでいるため、この期待眼科用レンズ１３０経由の非変形テスト・パターン４０の像は光学収差により変形される。
【００５０】
一定の光学条件が初期光学条件に対応する様子は、図２及び３に照らして理解される。
【００５１】
ブロック１は、先行ステップの光学計算に対応することが好ましい。これの意味することは、中間テスト・パターン８０が期待眼科用レンズ１３０に応じて非変形テスト・パターン４０から光線追跡方法により計算されるということである。これについては、以下において更に詳しく説明する。
【００５２】
図２、９、１０及び１１は、本発明による方法の実行を可能にする検証装置１０の４種類の実施形態を示している。
【００５３】
この検証装置１０は、ここでは垂直構成で示されているが、この装置はこの構成に限定されないことが理解される。それにも関わらず、以下においては、この垂直構成に対応するこの検証装置の頂部及び底部について述べることとする。
【００５４】
装置１０は、以下においてより詳しく説明する種々の要素を搭載するための手段を備えるフレーム１４を含んでいる。
【００５５】
検討する装置１０の実施形態の如何にかかわらず、この装置は、期待光学特性に対する適合性を検証しようとする検証対象眼科用レンズ３０を支えることができる第１支持台１１を含んでいる。
【００５６】
この第１支持台１１は、ここでは、ほぼ水平な姿勢で置かれている。
【００５７】
この第１支持台１１は、不透明であることが好ましい。それは、その中心に開口部１８Ａを有しており、それにより第１支持台１１上に置かれた検証対象眼科用レンズ３０を光線が通過する。
【００５８】
開口部１８Ａはエッジ１８Ｂにより取り囲まれており、それにより検証対象眼科用レンズ３０の輪郭が支持される。
【００５９】
開口部１８Ａのエッジ１８Ｂは、検証対象眼科用レンズ３０が開口部１８Ａに面して適切に支持されるような形状及び寸法値を有している。
【００６０】
検証対象眼科用レンズ３０は、ここでは、例えば凸面及び球面の前面３１を有しており、また、第１支持台１１上の検証対象眼科用レンズ３０の円形開口部１８Ａ周りの運動は制限されている。したがって、ここでは、対象眼科用レンズ３０の位置決めは、それにより容易になる。
【００６１】
第１支持台１１は、更に、開口部１８Ａ上の検証対象眼科用レンズ３０を芯出しする手段を含むことが好ましい。それは、例えば、第１支持台１１上に配置される爪の仕組み（この爪が検証対象眼科用レンズ３０の外縁に設けられる凹みと適切に噛み合う）に関係する。
【００６２】
次に、これらの爪は、眼科用レンズを所望の位置に保持するために凹みに挿入される。
【００６３】
第１支持台１１は、開口部１８Ａの中心を正確に指すことを可能にする位置決め手段を含むこともできる。それは、例えば開口部１８Ａのいずれかの側に描かれる一連の線に関係する。
【００６４】
次に、検証対象眼科用レンズ３０は、その面３１、３２の一方の上に置かれる恒久的又は一時的位置決め手段も含んでいる。それは、例えば、レンズを中心に置くために使用されるマーキング又は検証対象眼科用レンズ３０の面３１、３２の少なくとも一方に貼付される透明なラベルに関係する。前記ラベルは、検証対象眼科用レンズ３０の一定のメリディアンの位置決めを可能にする１本以上の線を含む。検証対象眼科用レンズ３０の標識と第１支持台１１の位置決め線が一線に揃うようにする開口部１８Ａに対する検証対象眼科用レンズ３０の位置決めは、検証対象眼科用レンズ３０が第１支持台１１の開口部１８Ａに対して正確に中心に置かれるようにすることを可能にする。
【００６５】
１つの変形形態として、第１支持台を透明とし、したがって開口部を含まないようにすることもできる。
【００６６】
装置１０は、ここでは、変形テスト・パターン２０を支えることができる第２支持台１２も含んでいる。
【００６７】
この第２支持台１２の構成は、想定する実施形態に応じて変化し、これについては以下において更に詳しく述べる。
【００６８】
変形テスト・パターン２０は、図２及び９に示した実施形態の場合のようにアナログ・パターン、即ち物理媒体により運ばれるパターン、又は図１０及び１１に示した実施形態の場合のようにデジタル・パターン、即ち、電子処理装置又は情報処理装置のメモリに記憶され、かつ、デジタル装置上に表示されるパターンとすることができる。
【００６９】
後者の場合、デジタル変形テスト・パターン２０を表示するための手段を設ける。これらの表示手段は、更に、以下において詳細に述べるように、前記第２支持台及び／又は前記照射手段を形成することができる。装置１０は、更に、ここで変形テスト・パターン２０に光を当てることができる照射手段１５を含んでいる。
【００７０】
照射手段１５は、以下において種々の実施形態について更に詳しく述べるように、直接又は間接光源を含むことができる。
【００７１】
表現「直接光源」は、ここでは、他の光源がない状態で本質的に光線を発射する光源を意味するものと理解される。
【００７２】
表現「間接光源」は、別の光源により発射された光を反射及び／又は散乱する二次光源を意味するものと理解される。それは、したがって周辺光により照射された単純白色表面に関係するであろう。
【００７３】
装置１０は、更に、像テスト・パターン５０の像を捕捉することができる像収集手段９１を含む。この第１の実施形態では、像テスト・パターン５０は、検証対象眼科用レンズ３０経由の変形テスト・パターン２０の像である。
【００７４】
像収集手段９１は、好ましくは、特定の瞬間において像を捕捉することを可能にするデジタル・ビデオ・カメラである。
【００７５】
１つの変形形態として、それは、例えば、カメラ、携帯電話又はタブレット・コンピュータのビデオ・カメラとすることもできる。
【００７６】
装置１０は、検査テスト・パターン６０を形成するために、像テスト・パターン５０をここでは非変形テスト・パターン４０と結合することができる像結合手段（１３；９２；１０３）も含む。
【００７７】
装置１０は、最後に、検査テスト・パターン６０を表す信号を送り出す前記像結合手段９２と通信することができる電子処理手段９５を含む。
【００７８】
電子処理手段９５は、したがって、検査テスト・パターン６０を少なくとも１つの基準テスト・パターン７０と比較し、かつ、検証対象眼科用レンズ３０の検証対象光学特性の期待光学特性に対する適合性を推定するようにプログラムされる。換言すると、電子処理手段９５は、検証対象光学特性の期待光学特性に対する適合性を表す信号を送り出すために、検査テスト・パターン６０を表す信号を分析する。
【００７９】
像収集手段９１及び電子処理手段９５は、電子処理チェーン９０の一環を形成する。
【００８０】
図２に示す装置１０の第１実施形態では、変形テスト・パターン２０及び非変形テスト・パターン４０は、以下において更に詳しく説明するように、それぞれ、物理媒体により形成されるアナログ・テスト・パターンである。
【００８１】
第１支持台１１は、装置１０のフレーム１４の中央部分に配置される。
【００８２】
前記照射手段１５は、装置１０のフレーム１４の端部の一方、ここでは、装置の底端に配置される。また、前記像収集手段９１は、装置１０の他の端部、ここでは、この装置の上端に配置される。
【００８３】
実際には、照射手段１５は、ここでは、白色光を発射する蛍光管１６及び蛍光管１６から発射される光の分布を一様にすることができる散乱装置からなる機構を含む。散乱装置１７は、例えば、散乱層により被覆された半透明ガラス板から構成される（ここでは、第１支持台１１に平行に配置されている）。ここでは、これらの照射手段１５は、直接光源である。
【００８４】
変形テスト・パターン２０の第２支持台１２は、第１支持台１１と照射手段１５の間にほぼ平行に配置される。
【００８５】
変形テスト・パターン２０のこの第２支持台１２は、検証対象眼科用レンズ３０の第１支持台１１から第１距離Ｄ１に置かれる。
【００８６】
照射手段１５から受ける光を最適に、即ち歪み、吸収及び散乱を最小にする方法により送り出すために、第２支持台１２は、好ましくは、鉱物又は有機ガラス及び例えばポリメチル・メタクリル樹脂又はポリカーボネートから製造される薄い透明板から構成する。これは薄い板であり、例えば、厚さ１ミリメートル未満である。
【００８７】
１つの変形形態として、第２支持板は、変形テスト・パターンに光を当てることを可能にするために、照射手段から出された光を通過させるのに適する寸法及び形状の開口部を中心部に穿った不透明な板から構成することもできる。
【００８８】
変形テスト・パターン２０は、少なくとも部分的に透明なフィルムを含んでいる。前記変形テスト・パターン２０は、例えば文様２３を透明プラスチック製のシート２２に印刷することにより形成される。この文様は、色付き又は一定の階調レベルを有する種々のレベルの透明性を有することができる。
【００８９】
これらの文様は、例えば、完全に透明又は完全に不透明とすることができる。
【００９０】
したがって、変形テスト・パターン２０は、変形テスト・パターン２０に存在する種々の文様に応じた強度及び／又は色の分布を有する光を送り出す。したがって変形テスト・パターン２０のコントラストは一様ではないことが理解される。
【００９１】
変形テスト・パターン２０の例示実施形態を図６に示す。この変形テスト・パターン２０は不均一なコントラストをもち、かつ、ここでは、不規則なタイル張りを形成する不透明な黒色文様２３を有する透明シート２２を含んでいる。
【００９２】
ここで不透明な黒色文様２３が光を完全に吸収するのに対し、図６において白色で表されている部分は透明であること、即ちこれらの部分はほぼすべての光を透過させることを理解しなければならない。
【００９３】
図２の装置１０は、更に、非変形テスト・パターン４０を支えることができる第３支持台１３を含んでいる。
【００９４】
第２支持台１２について述べたことと同じ理由により、第３支持台１３は、好ましくは薄い透明板を含む。
【００９５】
１つの変形形態として、第３支持台１３は、非変形テスト・パターン４０に光を当てることを可能にするために、検証対象眼科用レンズ３０を通過した光を通過させるのに適する寸法及び形状の開口部を中心部に穿った不透明な板を含むこともできる。
【００９６】
第３支持台１３は、第１支持台１１と像収集手段９１の間に配置される。ここで第３支持台１３は、眼科用レンズ３０の第１支持台１１から第２距離Ｄ２に置かれる。
【００９７】
非変形テスト・パターン４０は、アナログ・テスト・パターンである。それは、変形テスト・パターン２０と同様に、種々の透明レベルの文様を含む少なくとも部分的に透明なフィルム又はシートから構成される。この文様は、色付きであるか又は一定の階調レベルを有する。
【００９８】
図４に示した非変形テスト・パターン４０の例示実施形態では、このパターンは、透明なシート４２及び規則的なタイル張りを形成する不透明な黒色正方形文様４３を含んでいる。非変形テスト・パターン４０の文様は、したがって規則正しく、かつ、まったく変形されていない。したがって、非変形テスト・パターン４０のコントラストが不均一なことが分かる。
【００９９】
前記と同様に、図４において黒色で表された文様は眼科用レンズ３０から到来した光をほぼ全部吸収するのに対し、白色の文様は透明である、即ち、それは光を透過させる。したがって、図４の非変形テスト・パターン４０は、例えば透明なフィルム上に印刷することにより作ることができる。
【０１００】
図４の非変形テスト・パターン４０から図６の変形テスト・パターン２０を作成する方法について、以下において詳しく説明する。
【０１０１】
１つの変形形態として、非変形テスト・パターンを図６に示した種類のテスト・パターン（変形された黒色方形を有する）とし、それにより、期待眼科用レンズに応じて非変形テスト・パターンから得た変形テスト・パターンが図４に示した種類のテスト・パターンとなるようにすることができる。
【０１０２】
本発明による検証装置を構成する種々の光学要素、即ち、変形テスト・パターン２０、検証対象眼科用レンズ３０、非変形テスト・パターン４０及び前記像収集手段９１の相対的位置は、正確に、即ち約０．１ミリメートルの位置決め精度で、第１、第２及び第３支持台１１、１２、１３の装置１０のフレーム１４に対する相対位置により設定される。
【０１０３】
この目的のために、装置１０は、第１及び第２支持台１１、１２、前記照射手段１５及び前記像収集手段９１を相互に位置づけることを可能にする調整手段を含んでいる。
【０１０４】
この調整手段は、例えば、装置１０のフレーム１４の垂直支柱の少なくとも１つに設けられる目盛り付きスケールを含んでいる。この調整手段は、第１支持台１１、第２支持台１２及び第３支持台１３のそれぞれに設けられる指示手段も含み得る。この指示手段は、目盛り付きスケール上の対応する目盛りを読むことにより、これらの支持台のそれぞれの位置を決定することを可能にする。
【０１０５】
更に、変形テスト・パターン２０及び／又は非変形テスト・パターン４０を検証対象眼科用レンズ３０に対して非常に正確に位置づけるために、変形テスト・パターン２０及び／又は非変形テスト・パターン４０も固有の位置決め手段２７、２８、２９、４７、４８、４９を含んでおり、これらの手段は、検証対象眼科用レンズ３０の表面にある極小エッチング又はこの検証対象眼科用レンズ３０上に置かれるその他の任意の恒久的又は一時的標識と相互作用するのに適している。
【０１０６】
眼科用レンズ３０の極小エッチング又は恒久的又は一時的標識は、例えば、線、点又はその他の任意の特定の図形を形成する。それは、例えば、レンズの製造中にその芯出しを行うために使用されるマーキングに関係する。
【０１０７】
変形テスト・パターン２０を位置づけるための手段２７、２８、２９及び／又は非変形テスト・パターン４０を位置づけるための手段４７、４８、４９は、基準点又は特定の図形、例えば、線、円、方形又は十字とすることができる。前記位置決め手段２７、２８、２９、４７、４８、４９は、前記変形テスト・パターン２０及び非変形テスト・パターン４０上の種々の位置に配置される。
【０１０８】
図４及び６に示した例では、例えば２つの円形位置決め点２７、２８、４７、４８及び方形２９、４９が変形テスト・パターン２０及び非変形テスト・パターン４０のそれぞれの上に設けられている。
【０１０９】
したがって、眼科用レンズ３０は、変形テスト・パターン２０及び／又は非変形テスト・パターン４０上に置かれている位置決め手段２７、２８、２９、４７、４８、４９を像収集手段９１により記録された像中の検証対象眼科用レンズ３０の表面にある微小エッチングに重ねることにより、変形テスト・パターン２０及び／又は非変形テスト・パターン４０に対して正確な横断方向位置に配置され得る。
【０１１０】
更に、第２及び第３支持台１２、１３のそれぞれが対応変形テスト・パターン２０又は非変形テスト・パターン４０を支えるための手段を含むようにすることもできる。これは、変形テスト・パターン２０の非変形テスト・パターン４０に対する横断方向位置決めを容易にする。それは、例えばスライド・レールに関係してもよい。この場合、対応テスト・パターンは、これらのスライド・レールとの相互作用に適するフレームを含み得る。
【０１１１】
像収集手段９１は、非変形テスト・パターン４０の第３支持台１３の上方、第３距離Ｄ３に置かれており、これにより第３支持台１３は、検証対象眼科用レンズ３０の第１支持台１１と前記像収集手段９１の間に位置を占める。
【０１１２】
それぞれ、第１及び第２支持台１１、１２、第１及び第３支持台１１、１３並びに第３支持台１３及び像収集手段９１を隔てる第１、第２及び第３距離Ｄ１、Ｄ２及びＤ３は、検証装置１０を使用する一定の光学条件を少なくとも部分的に形成する。
【０１１３】
これらの距離は、以下においてより詳しく説明するように、非変形テスト・パターン４０から変形テスト・パターン２０を計算するために使用される初期光学条件に応じて前もって設定される。
【０１１４】
これらの距離は、したがって、レンズの期待光学特性に依存する。
【０１１５】
第１、第２及び第３距離Ｄ１、Ｄ２及びＤ３は、とりわけ、装置１０において像テスト・パターン５０（即ち、ここでは、検証対象眼科用レンズ３０経由の変形テスト・パターン２０の像）を非変形テスト・パターン４０の位置している平面にほぼ一致する平面に形成することができるように、設定される。
【０１１６】
したがって、この第１実施形態では、前記像結合手段は、非変形テスト・パターン４０の第３支持台１３を含んでいる。具体的には、ここで非変形テスト・パターン４０を像テスト・パターン５０の平面に正確に位置づけし、それによりこの平面において、非変形テスト・パターン４０と像テスト・パターン５０を重ね合わせて検査テスト・パターン６０（このパターンの像が前記像収集手段９１により捕捉される）を形成することができるのは、第３支持台１３によるものである。
【０１１７】
検証対象眼科用レンズ３０の検証対象光学特性の期待光学特性に対する適合性を検証しようとする技師は、前記検証対象眼科用レンズ３０及び関連変形テスト・パターン２０を受け取り、これらを本発明による装置１０にセットする。
【０１１８】
変形テスト・パターン２０は、装置１０の一定の光学条件と関連する。
【０１１９】
したがって、技師により受け取られた変形テスト・パターン２０は、１番目の可能性に従って第１、第２及び第３距離Ｄ１、Ｄ２及びＤ３について使用するべき値を伴っている。技師は、次に、上述した種々の調整手段により、装置の種々の要素の相対的位置を必要な値に応じて調整する。
【０１２０】
２番目の可能性に従って、第１、第２及び第３距離Ｄ１、Ｄ２及びＤ３について使用するべき値を装置に応じて固定し、前もってセットする。技師が装置１０について行うこれ以上の調整はない。
【０１２１】
非変形テスト・パターン４０を技師の使用している検証装置１０のそれぞれについて異なるものとし、それによりこの非変形テスト・パターン４０を装置１０の構成及び一定光学条件、特に一定距離Ｄ１、Ｄ２及びＤ３に適合させることができる。
【０１２２】
対照的に、所与の装置１０において検証するすべての眼科用レンズについて同一の非変形テスト・パターン４０を使用することも可能である。この場合、非変形テスト・パターン４０は、装置１０中に恒久的に配置することができる。
【０１２３】
実際には、本発明による方法を実行するために、技師は、受け取った検証対象眼科用レンズ３０を装置１０の第１支持台１１の上に置く。技師は、次に第１支持台１１及び検証対象眼科用レンズ３０の面３１、３２の一方の上にある芯出し手段を使用してレンズの位置を調整する。
【０１２４】
検証対象眼科用レンズ３０の前面３１は、ここで、例えば、検証対象眼科用レンズ３０の水平軸及び垂直軸を表す２本の線を含むラベルを含んでいる。
【０１２５】
この調整を行った後、技師は、図６に示した変形テスト・パターン２０を装置１０の第２支持台１２の上に置く。
【０１２６】
これは、第１、第２及び第３距離Ｄ１、Ｄ２及びＤ３が前もってセットされ、かつ、固定されている場合に関係する。
【０１２７】
１つの変形形態として、技師は、第１支持台１１と第２支持台１２の間の第１距離Ｄ１を装置１０のフレーム１４の目盛り付きスケールの手段により、変形テスト・パターン２０とともに受け取った指示に応じて調整する。
【０１２８】
技師は、変形テスト・パターン２０を検証対象眼科用レンズ３０の中心に合わせるために、変形テスト・パターン２０の位置決め点２７、２８を検証対象眼科用レンズ３０の上にある微小エッチングに重ねる。
【０１２９】
これを行うために、技師は、像収集手段９１により記録されている像を表示する。この手段は、種々の支持台１１、１２、１３と構造的に一線に揃えられているため、捕捉された像は実際に種々のテスト・パターンの像を含んでいる。
【０１３０】
この調整を肉眼により行うことも考えられる。
【０１３１】
非変形テスト・パターン４０は、ここでは固有であり、かつ、検証対象眼科用レンズ３０から独立であるため、それは装置１０中にすでに存在することが好ましい。
【０１３２】
また、構造により、非変形テスト・パターン４０は、検証対象眼科用レンズ３０の第１支持台１１上においてすでに芯出しされている。第１支持台１１と第３支持台１３の間の距離もすでに適切なＤ２値に設定されている。
【０１３３】
本発明の１つの実施形態によると、第１、第２及び第３距離Ｄ１、Ｄ２及びＤ３は、次のように選択される：Ｄ１＝２０センチメートル（ｃｍ）、Ｄ２＝５ｃｍ、及びＤ３＝１３ｃｍ。
【０１３４】
このように構成されているため、装置１０は、検証対象眼科用レンズ３０の検証対象光学特性の期待光学特性に対する適合性を検証するために使用することができる。
【０１３５】
ここでは、照射手段１５から到来する光線は、変形テスト・パターン２０により濾過され、検証対象眼科用レンズ３０を通過し、そして前記像収集手段９１により検出される。
【０１３６】
上述したように、この光線は、像テスト・パターン５０、即ち検証対象眼科用レンズ３０経由の変形テスト・パターン２０の像を非変形テスト・パターン４０の平面に形成する。
【０１３７】
次に技師が測定を開始し、そして、ビデオ・カメラ９１が図７に示したような検査テスト・パターン６０の像を収集する。
【０１３８】
像収集手段９１は、次に、検査テスト・パターン６０の像に応じて検査テスト・パターン６０を表す信号を電子処理手段９５に送り出す。
【０１３９】
前記検査テスト・パターン６０を基準テスト・パターン７０と比較するステップｂ）は、電子処理手段９５により、例えば当業者により知られている像処理技術を用いて、デジタル的に行われる。
【０１４０】
図７の検査テスト・パターン６０との比較のためにここで使用される基準テスト・パターン７０を図８に示す。この基準テスト・パターン７０は、ここでは、電子処理手段９５のメモリに記憶されている。
【０１４１】
前述したように、検証対象眼科用レンズ３０の検証対象光学特性が期待光学特性に一致するならば、前記像収集手段９１により収集された検査テスト・パターン６０は、基準テスト・パターン７０に対応する。
【０１４２】
図８に示した基準テスト・パターン７０は、ここでは黒色のみであり、したがって完全に一様なコントラストを有している。
【０１４３】
図７においてここに示した例では、検査テスト・パターン６０が数個の白色領域６１、６２、６３（ここでは３個の白色方形）を含んでいるのに対し、この検査テスト・パターン６０の像の残余の部分は一様な黒色である。
【０１４４】
検査テスト・パターン６０のコントラスト、色及び輝度は、検査テスト・パターン６０がその全面積の５パーセント未満の広さを有する数個の領域を除いて、その全面積にわたり一様なコントラスト、色又は輝度を有しているならば、ほとんど一様であると言われる。
【０１４５】
図７に示した検査テスト・パターン６０は、電子処理手段９５により、例えば当業者により知られている像処理技術を使用して、図８に示した基準テスト・パターン７０とデジタル的に比較される。
【０１４６】
この比較により検査テスト・パターン６０の捕捉像の色及び／又はコントラスト及び／又は輝度特性が対応基準テスト・パターン７０のそれらと完全に同じであることが示された場合、電子処理手段９５は、検証対象眼科用レンズ３０の検証対象光学特性が期待光学特性と一致する、即ちそれと同じであると推定する。
【０１４７】
この比較により、検査テスト・パターン６０の捕捉像が基準テスト・パターン７０の対応領域の色、コントラスト又は輝度と同一でない色及び／又はコントラスト及び／又は輝度を有する領域を含んでいることが示された場合、電子処理手段９５は、検査テスト・パターン６０と基準テスト・パターン７０の像の間の相違を定量化する数値を決定する。
【０１４８】
この数値は、例えば、基準テスト・パターン７０の対応領域の色、コントラスト及び／又は輝度と異なる色、コントラスト及び／又は輝度を有する領域に対応する検査テスト・パターン６０の面積を表す数値である。
【０１４９】
これは、例えば、これらの領域に対応する検査テスト・パターン６０の像のピクセルの個数に関係してもよい。
【０１５０】
電子処理手段９５は、次にこの数量について決定した値を基準テスト・パターン７０の相違領域の最大許容面積を表す閾値と比較する。
【０１５１】
この閾値は、例えば検査テスト・パターン６０の像の合計面積の５パーセントに等しい面積に対応する。
【０１５２】
この数量について決定された値が前記閾値より小さい場合、電子処理手段９５は、検証対象眼科用レンズ３０の検証対象光学特性が期待光学特性に一致すると推定する。
【０１５３】
反対の場合、電子処理手段は、それが一致しないと推定する。
【０１５４】
実際には、ここでは、この比較により、検査テスト・パターン６０の３個の領域（図７に示した検査テスト・パターン６０の捕捉像において白色で出現する３個の領域６１、６２、６３に対応する領域）が基準テスト・パターン７０の対応する領域（この領域においてこれらの対応する領域は黒色である）と相違することが示される。
【０１５５】
これらの３個の領域６１、６２、６３は、ここでは、検査テスト・パターン６０の像の合計面積の５パーセント未満に相当する。
【０１５６】
したがって、電子処理手段９５は、検証対象眼科用レンズ３０が期待光学補正に一致する検証対象光学補正を与えると推定する。
【０１５７】
当業者は、検査テスト・パターン６０と基準テスト・パターン７０の間の上記比較方法を、検証対象眼科用レンズ３０の検証対象光学特性の期待光学特性に対する適合性を推定するための非変形テスト・パターン４０及び変形テスト・パターン２０の任意の実施形態に適合させる方法を知るであろう。
【０１５８】
電子処理手段９５は、比較の結果を技師に指示する表示手段９９も含むことが好ましい。
【０１５９】
上述したように、変形テスト・パターン２０は、非変形テスト・パターン４０に応じて決定される。
【０１６０】
より具体的には、変形テスト・パターン２０は、中間テスト・パターン８０（その例は図５に示されている）に応じて作成される。この中間テスト・パターン８０は、非変形テスト・パターン４０から期待光学特性に応じて決定される。
【０１６１】
図３は、図６の変形テスト・パターン２０を作成するステップ６及び光線追跡計算を用いて図４に示されている非変形テスト・パターン４０から図５の中間テスト・パターン８０を決定するステップ５を実行する方法を詳細に示している。
【０１６２】
これを行うために、期待光学特性を有する期待眼科用レンズ１３０を検討する。中心Ｃの観察瞳孔１９及び非変形テスト・パターン４０の平面４１も検討する。
【０１６３】
非変形テスト・パターン４０が図４に示されている。ここでは、それは、４Ｍ個のコーナーＳ（ｉ，ｊ）（１≦ｊ≦４）により画定されるＭ個の黒色及び白色の方形文様Ｐ（ｉ）（１≦ｉ≦Ｍ）の規則正しいタイル張りから構成されている。
【０１６４】
変形テスト・パターン２０を作成するために、第１ステップにおいて、中間テスト・パターン８０、即ち期待眼科用レンズ１３０経由の非変形テスト・パターン４０の像を光線追跡方法を用いて計算する。これを行うために、以下のステップを順次実行する：
−  観察瞳孔１９の中心Ｃ及び非変形テスト・パターン４０に属するコーナーＳ（ｉ，ｊ）を通過する光線８２を計算する。
−  この入射光線８２を期待眼科用レンズ１３０に至るまで延長する。
−  期待眼科用レンズ１３０から出射する光線８３を決定するために、入射光線８２の経験する偏移を計算する。
−  出射光線８３と中間テスト・パターン８０の平面８１との交点（点Ｓｄｅｆ（ｉ，ｊ）における）を計算する。及び
−  上記のステップを非変形テスト・パターン４０のすべてのコーナーＳ（ｉ，ｊ）について繰り返す。
【０１６５】
光線追跡計算を行うために、次のように種々の要素を互いに関連づけて配置する：
−  期待眼科用レンズ１３０を中間テスト・パターン８０の平面８１から第１距離Ｄ１１に配置する。
−  非変形テスト・パターン４０の平面４１を期待眼科用レンズ１３０から第２距離Ｄ１２に配置する。及び
−  観察瞳孔１９を非変形テスト・パターン４０の平面４１の上方、第３距離Ｄ１３に配置する。
【０１６６】
これらの第１、第２及び第３距離Ｄ１１、Ｄ１２及びＤ１３は、中間テスト・パターン８０、期待眼科用レンズ１３０、非変形テスト・パターン４０、及び観察瞳孔１９（これらは、変形テスト・パターン２０の構造の初期光学条件を構成する）の相対的位置を規定する。
【０１６７】
図２に示されているように配置されているような変形テスト・パターン２０を作成するために使用される図３の光線追跡計算の場合、観察瞳孔１９、非変形テスト・パターン４０、期待眼科用レンズ１３０、及び中間テスト・パターン８０のそれぞれの相対的位置は、像収集手段９１、像テスト・パターン５０、検証対象眼科用レンズ３０及び変形テスト・パターン２０のそれぞれの相対的位置と同じである。
【０１６８】
中間テスト・パターン８０の平面８１と期待眼科用レンズ１３０の間の第１距離Ｄ１１は、したがって、先に図２において定義した変形テスト・パターン２０と検証対象眼科用レンズ３０の間の第１距離Ｄ１に等しい。同様に、期待眼科用レンズ１３０と非変形テスト・パターン４０の平面４１の間の第２距離Ｄ１２は、検証対象眼科用レンズ３０と非変形テスト・パターン４０の間の第２距離Ｄ２に等しい。また、非変形テスト・パターン４０と観察瞳孔１９の間の第３距離Ｄ１３は、非変形テスト・パターン４０と前記像収集手段９１の間の第３距離Ｄ３に等しい。
【０１６９】
上述したような光線追跡計算は、非変形テスト・パターン４０の多角形Ｐ（ｉ）に関係づけられるＭ個の四角形文様Ｐｄｅｆ（ｉ）を中間テスト・パターン８０の平面８１において決定することを可能にする。これらの四角形Ｐｄｅｆ（ｉ）は、変形された規則的タイル張りの文様を形成する。したがって、図５に示したような中間テスト・パターン８０が得られる。
【０１７０】
図５は、検証対象眼科用レンズ３０に対応する期待眼科用レンズ１３０経由の光線追跡計算を行うこと及び以下の光学補正を行うことにより図４（上述した）の非変形テスト・パターン４０から得られた中間テスト・パターン８０を示す：球面度数＝２ジオプター（δ）、加入＝２δ、及び円柱＝０δ。
【０１７１】
図５が示すように、中間テスト・パターン８０は、非変形テスト・パターン４０の形状とは異なる全体的形状を有している。そして、計算のために使用される期待眼科用レンズ１３０により導入される種々の変形のために、黒色又は白色の文様は、もはや方形ではなく、それがテスト・パターンに占める位置に依存する形状を有する。
【０１７２】
図５に示した中間テスト・パターン８０から、図５に示した中間テスト・パターン８０の「ネガ」を取ることにより、図６に示したような変形テスト・パターン２０がここで第２ステップにおいて得られる。実際には、それは、ここでは、不透明な文様と透明な背景の分布を反転することに関係する。したがって、変形テスト・パターン２０のコントラストは不均一である。
【０１７３】
更に、図６は、変形テスト・パターン２０の文様がここでは図４に示されている非変形テスト・パターンのそれのように規則正しくなく、期待眼科用レンズ１３０により導入された種々の歪みのために変形されていることを示している。
【０１７４】
１つの変形形態として、上述したような変形テスト・パターンを作成する際に、変形テスト・パターンの文様の色を選択して中間テスト・パターンを変形し、それにより、像テスト・パターンを非変形テスト・パターンに重ねたときにロゴ、形状又は文字列などの認識可能な標識の現れる検査テスト・パターンを形成することができる。
【０１７５】
この変形形態によると、認識可能な標識は、検証対象眼科用レンズから独立である。この認識可能な標識記号は、例えば、あり得る偽造を防止するために、前もって設定し、かつ、選択することができる。
【０１７６】
本説明の残余の部分に関して、それぞれ、図４、５及び６に示した非変形テスト・パターン４０、中間テスト・パターン８０及び変形テスト・パターン２０は、図９、１０及び１１において説明する実施形態においても使用することとする。これは、変形テスト・パターン２０及び／又は非変形テスト・パターン４０がアナログであるかデジタルであるかに関係なく適用する。
【０１７７】
図９に示した装置１０の第２の実施形態では、非変形テスト・パターン４０は、アナログ・テスト・パターン、即ち、図２に関連して上述した装置１０の第１実施形態の場合のように装置１０中に実在する物理的テスト・パターンではない。
【０１７８】
ここでは、非変形テスト・パターン４０は、デジタル、即ち、それが非変形テスト・パターン４０の記憶及び送出に適するデジタル媒体中にのみ存在する限りにおいて「バーチャル」である。
【０１７９】
装置１０は、したがって非変形テスト・パターン４０のための第３支持台を含んでいない。
【０１８０】
電子処理チェーン９０は、ここではメモリ中に非変形テスト・パターン４０を保持する記憶装置９３を含んでいる。この記憶装置９３は、ここでは携帯電話のメモリである。
【０１８１】
１つの変形形態として、それは、デスクトップ・コンピュータ、タブレット・コンピュータのメモリ又はデジタル媒体中に非変形テスト・パターンの記憶を可能にする任意の手段に関係してもよい。
【０１８２】
照射手段１５、第１及び第２支持台１１、１２及び前記像収集手段９１は、図２に関連して第１実施形態について説明したものと同じである。
【０１８３】
第３支持台を設けないこと及びデジタル非変形テスト・パターン４０を使用することのために、前記像収集手段９１は、ここでは検証対象眼科用レンズ３０と前記像収集手段９１の間に含まれる平面において像テスト・パターン５０の像を捕捉するのに適する。
【０１８４】
像収集手段９１は、したがって、第１実施形態の場合のように、検査テスト・パターン６０の像を捕捉しない。
【０１８５】
像結合手段９２は、ここではデジタルかつ電子的である。
【０１８６】
像結合手段は、ここでは、ビデオ・カメラ９１により与えられる像テスト・パターン５０を表す信号及び記憶装置９３により与えられる非変形テスト・パターン４０を表す信号を受け取るのに適している。
【０１８７】
像結合手段９２は、したがって、検査テスト・パターン６０を形成するため及び検査テスト・パターン６０を表す信号を送り出すために、像テスト・パターン５０を非変形テスト・パターン４０とデジタル的に結合することができる。検査テスト・パターン６０を表すこの信号は、次に分析のために電子処理手段９５に送出される。
【０１８８】
より具体的には、図９の第２実施形態では、電子処理手段９５は、以下を含んでいる：
−  前記像結合手段９２とローカル・ネットワーク、例えばイーサネット・ケーブル９７経由で前記像結合手段９２と直接通信するのに適するローカル処理装置９６、及び
−  例えばインターネット経由でローカル処理装置９６と通信するのに適する遠隔処理装置９８。
【０１８９】
ローカル処理装置９６は、ここでは、遠隔処理装置９８に検証対象眼科用レンズ３０の基準を伝え、そして、遠隔処理装置９８は、伝えられた基準に応じて前記検証対象眼科用レンズ３０に関する基準テスト・パターン７０をローカル処理装置９６に与える。
【０１９０】
検証対象眼科用レンズ３０の基準は、例えば以下の情報を含む：製品の名称、関連処方、着装位置パラメータ及び個人情報。
【０１９１】
ローカル処理装置９６は、次に、像結合手段９２から受け取った検査テスト・パターン６０を基準テスト・パターン７０と比較する動作３を行い、続いて検証対象光学特性の期待光学特性に対する適合又は非適合を推定する動作４を行う。
【０１９２】
１つの変形形態として、ローカル処理装置は、遠隔処理装置に検証対象眼科用レンズの基準及び前記像結合手段により与えられた検査テスト・パターンを表す信号を伝える。次に、遠隔処理装置は、ローカル処理装置から受け取った検査テスト・パターンを検証対象眼科用レンズに関する基準テスト・パターンと比較する動作を行う。このレンズの基準は、ローカル処理装置により、すでにそこに伝えられている。
【０１９３】
次に、検証対象光学特性の期待光学特性に対する適合又は不適合を推定する動作が遠隔処理装置により行われる。
【０１９４】
図９の装置１０の第２実施形態では、前記像収集手段９１により与えられる信号（像テスト・パターン５０を表す信号）又は前記像結合手段９２により与えられる信号（検査テスト・パターン６０を表す信号）を受け取って、それを表示するのに適する像表示手段９９を設けて、それらが技師により視覚的に観察できるようにすることが好ましい。
【０１９５】
像表示手段９９は、ここでは、デジタル・モニタである。
【０１９６】
１つの変形形態として、それは、例えば、ほぼ白い反射スクリーン、すりガラス・シート又は散乱フィルム被覆ガラス・シートなど、カメラ又はデジタル・ビデオ・カメラのスクリーン、携帯電話又はタブレット・コンピュータ又は像を表示するのに適する媒体に関連づけられるイメージ・プロジェクタのスクリーンでよい。
【０１９７】
前記表示手段９９は、電子処理手段９５により与えられる基準テスト・パターン７０を表す信号の受信及び表示にも適していることが好ましい。それにより、前記像表示手段上に基準テスト・パターン７０に加えて検査テスト・パターン６０も表示できるようになり、それらも眼鏡技師から観察可能となる。
【０１９８】
第２実施形態の１つの変形形態によると、前記像収集手段及び前記像表示手段は、同一捕捉及び表示装置の一部を形成する。
【０１９９】
それは、例えば、少なくともデジタル・ビデオ・カメラとデジタル・ディスプレイ・スクリーンの両方を含む携帯電話又はタブレット・コンピュータに関係してもよい。
【０２００】
実際には、本発明による方法を実行するために、技師は、まず、検証対象眼科用レンズ３０及び変形テスト・パターン２０について、図２に関して上述した第１実施形態において上述したのと同じ操作を行う。
【０２０１】
技師は、慎重に注意しつつ、装置１０のフレーム１４上に配置されている調整手段により以下を行う：
−  検証対象眼科用レンズ３０をビデオ・カメラ９１から距離Ｄ２２３に置く、及び
−  変形テスト・パターン２０を検証対象眼科用レンズ３０から距離Ｄ２１に置く。
【０２０２】
これらの距離Ｄ２１及びＤ２２３は、それぞれ、第１実施形態の距離Ｄ１及び距離Ｄ２とＤ３の和に等しく、かつ、装置１０の一定光学条件を少なくとも部分的に形成する。この条件は、第１実施形態の場合と同様に、変形テスト・パターン２０を計算するために使用された初期光学条件と同じである。
【０２０３】
ここで検討している実施形態では、この条件は、変形テスト・パターン２０に関係しており、かつ、このパターンとともに与えられるか、又は実際には固定されており、変形テスト・パターン２０はそれに従って計算される。
【０２０４】
技師は、次に、自分の携帯電話（それは、ここでは、前記記憶手段９３を形成する）を適切なデータ・ケーブルにより前記像結合手段９２に接続する。技師は、次に、自分の携帯電話上で専用アプリケーションを起動し、それに対し検証対象眼科用レンズ３０の基準を指示する。それに応じて、このアプリケーションは、携帯電話のメモリから検証対象眼科用レンズ３０に対応する非変形テスト・パターン４０を検索し、それを前記像結合手段９２にデータ・ケーブル経由で伝える。
【０２０５】
像結合手段９２は、次に、検査テスト・パターン６０を形成するため、及びそれにより検査テスト・パターン６０を表す信号を電子処理手段９５に与えるために、像テスト・パターン５０を携帯電話から与えられた非変形テスト・パターン４０と電子的かつデジタル的に結合する。
【０２０６】
電子処理手段９５は、次に、受け取った検査テスト・パターン６０を検証対象眼科用レンズ３０の基準に応じて少なくとも１つの基準テスト・パターン７０と比較する。前記処理手段は、次に、検証対象眼科用レンズ３０の検証対象光学特性の期待特性に対する適合又は非適合を表す信号を与える。
【０２０７】
適合又は非適合を表す信号は、例えば、それぞれ、緑色表示灯及び赤色表示灯とすることができる。
【０２０８】
１つの変形形態として、電子処理手段９５は、検査テスト・パターン６０を表す信号を像表示手段９９に送ってそれを表示させる動作も行う。像表示手段９９は、ここでは、デジタル・モニタであり、その上で技師は、例えば検査テスト・パターン６０の外観を検査することができる。
【０２０９】
像表示手段９９は、上述したような表示灯を使用して適合性を表す信号を表示することもできる。
【０２１０】
図１０に示した装置１０の第３実施形態においては、変形テスト・パターン２０は、ここでは、デジタルであり、携帯電話２５の表示スクリーン上に表示される。
【０２１１】
１つの変形形態として、それは、モニタ又はＭＰ３プレーヤ又はタブレット・コンピュータのスクリーンとすることができる。
【０２１２】
表示スクリーンは、携帯電話２５に内蔵されている照射手段１５により照射される。ここでは、それは、この表示スクリーンのバックライト・システムに関係する。
【０２１３】
表示スクリーンは、単一の像、一連の像、又はビデオの表示を可能にする。
【０２１４】
この表示スクリーンは、変形テスト・パターン２０が検証対象眼科用レンズ３０から距離Ｄ３１の位置を占めるように位置づけられる不透明なプレートにより支持される。この不透明なプレートは、したがって第２支持台１２の役割を果たす。
【０２１５】
距離Ｄ３１は、ここでは、第１及び第２実施形態において記述された距離Ｄ１に等しい。
【０２１６】
この第３実施形態による装置１０の残余の部分は、第２実施形態に関して述べたものと同様である。
【０２１７】
具体的には、第１支持台１１及び電子処理チェーン９０は、第２実施形態のそれらと同じである。
【０２１８】
装置１０は、次に、第２実施形態の場合と同様に、像テスト・パターン５０、即ち検証対象眼科用レンズ３０経由の変形テスト・パターン２０の像の形成及び前記像収集手段９１によるその捕捉を可能にする。
【０２１９】
実際には、本発明による方法を実行するために、技師は、第１実施形態の場合と同様に、検証対象眼科用レンズ３０を装置１０の第１支持台１１の上に置く。
【０２２０】
技師は、注意しつつ、装置１０のフレーム１４上に配置されている調整手段により、検証対象眼科用レンズ３０をビデオ・カメラ９１から距離Ｄ３２３に置く。この距離は、第１及び第２実施形態の距離Ｄ２とＤ３の和及び距離Ｄ２２３のそれぞれに等しく、かつ、同様な方法により決定される。
【０２２１】
検証対象眼科用レンズ３０は、上述したように、基準を伴って技師に送付される。
【０２２２】
技師は、次に、携帯電話２５上の専用アプリケーションを起動し、それに検証対象眼科用レンズ３０の基準を指示する。それに応じて、このアプリケーションは、携帯電話のスクリーン上に変形テスト・パターン２０を表示する。
【０２２３】
これを行った後に、技師は、変形テスト・パターン２０を装置１０の第２支持台１２の上に置く。装置１０のフレーム１４に配置されている目盛り付きスケールの手段により、技師は、第１支持台１１と第２支持台１２の間の距離Ｄ３１を任意選択的に調整することができる。
【０２２４】
携帯電話のスクリーン上に表示される変形テスト・パターン２０は、２つの位置決め点を含んでいる。技師は、変形テスト・パターン２０を検証対象眼科用レンズ３０の中心に置くために、これらの点を使用してこれらを検証対象眼科用レンズ３０上にある微小エッチング上に重ねる。
【０２２５】
像収集手段９１は、次に像テスト・パターン５０の像を取得し、それを前記像結合手段９２に送る。
【０２２６】
この方法の残余の部分は、第２実施形態に関して記述した方法と同じ方法により実行される。
【０２２７】
技師は、更に、変形テスト・パターン２０を表示するために使用した携帯電話を再び取り出し、それを記憶装置９３として利用することにより非変形テスト・パターン４０を第２実施形態において上述したような前記像結合手段９２に送り出すこともできる。
【０２２８】
図１１に示した装置１０の第４実施形態では、変形テスト・パターン２０及び非変形テスト・パターン４０は、表示スクリーン２６、４６上に表示される。
【０２２９】
第１支持台１１及び電子処理チェーン９０は、第１実施形態のそれらと同じである。
【０２３０】
装置１０は、変形テスト・パターン２０の第２支持台１２を支えるのに適するように、その一方の側壁に配置されている（ここでは、その底部に）第１開口部１４１を有している。
【０２３１】
変形テスト・パターン２０は、表示スクリーン２６（ここではビデオ・モニタ）から構成されている。
【０２３２】
１つの変形形態として、それは、例えば携帯電話、ＭＰ３プレーヤ又はタブレット・コンピュータのスクリーンに関係してもよい。
【０２３３】
照射手段１５は、ここではビデオ・モニタに内蔵されている。ここでは、それはモニタのバックライト・システムに関係する。
【０２３４】
ビデオ・モニタは、ここではデジタル・ビデオの表示を可能にする。それは、単一の像又は一連の像を表示するように適合させることができる。
【０２３５】
装置１０は、ここでは更に、その底部に平面鏡１０１を含む。それは、ほぼ４５度に置かれた半透明鏡１０２も含んでいる。それは、変形テスト・パターン２０から到来する光を平面鏡１０１の方向に反射し、次に、平面鏡１０１により反射された光を検証対象眼科用レンズ３０に送り出すことを可能にする。
【０２３６】
変形テスト・パターン２０は、半透明鏡１０２から距離Ｄ１４１に置かれる。
【０２３７】
第１支持台１１は、半透明鏡１０２から距離Ｄ１４２に置かれ、このとき距離Ｄ１４１とＤ１４２の和が距離Ｄ４１に等しくなる。この距離は、第１実施形態における変形テスト・パターン２０と検証対象眼科用レンズ３０の間の第１距離Ｄ１に等しい距離である。
【０２３８】
このように構成された装置１０は、像テスト・パターン５０、即ち検証対象眼科用レンズ３０経由の変形テスト・パターン２０の像の形成を可能にする。
【０２３９】
装置１０は、更に、第１開口部１４１と同じ側壁であるがここでは頂部に位置する第２開口部１４２を有している。これは、非変形テスト・パターン４０の配置を可能にする第３支持台１３を支えるのに適している。
【０２４０】
ここでは、非変形テスト・パターン４０は、デジタルであり、表示スクリーン４６（ここではビデオ・モニタ）に表示される。
【０２４１】
１つの変形形態として、それは、例えば、携帯電話、ＭＰ３プレーヤ又はタブレット・コンピュータのスクリーンとすることできる。
【０２４２】
表示スクリーン４６は、ビデオ・モニタ内蔵の照射手段１５２により照射される。ここでは、それは、モニタのバックライト・システムに関係する。
【０２４３】
ビデオ・モニタは、ここでは、デジタル・ビデオの表示を可能にする。それは、単一の画像又は一連の画像を表示するように適合させることができる。
【０２４４】
この第４実施形態によると、表示手段のそれぞれに変形テスト・パターン２０及び元のテスト・パターン４０の同期ビデオを一斉送信することができる。
【０２４５】
最後に、装置１０は、ほぼ−４５°に置かれた半透明鏡１０３を含んでいる。これは、非変形テスト・パターン４０から到来する光を前記像収集手段９１の方向に反射することを可能にする。
【０２４６】
半透明鏡１０３は、眼科用レンズ３０から距離Ｄ２４１及び非変形テスト・パターン４０から距離Ｄ２３４に置かれる。
【０２４７】
像収集手段９１は、半透明鏡１０３から距離Ｄ３４１に置かれ、それにより：
−  距離Ｄ２３４とＤ２４１の和は、検証対象眼科用レンズ３０と非変形テスト・パターン４０の間の第２距離Ｄ２に等価の距離Ｄ４２に等しい、また
−  距離Ｄ２４１とＤ３４１の和は、非変形テスト・パターン４０と前記像収集手段９１の間の第３距離Ｄ３に等価の距離Ｄ４３に等しい。
【０２４８】
種々の距離Ｄ１４１、Ｄ１４２、Ｄ２４１、Ｄ２３４及びＤ３４１がこのように定義され、中間テスト・パターン８０は、図３に関して記述した方法と同じ方法により計算することができる。
【０２４９】
第４実施形態の場合、前記像結合手段は、半透明鏡１０３を含んでいる。ここで像テスト・パターン５０の平面において非変形テスト・パターン４０を正確に位置づけることができ、それにより、この平面において、非変形テスト・パターン４０と像テスト・パターン５０を重ね合わせて検査テスト・パターン６０（この検査テスト・パターンの像が前記像収集手段９１により捕捉される）を形成することができるのは、特に、この半透明鏡１０３によるものである。
【０２５０】
像収集手段９１は、変形テスト・パターン２０及び非変形テスト・パターン４０に適合されたビデオ周波数の像を捕捉することができる。像収集手段９１は、したがって、ここではデジタル・カメラとすることが好ましい。
【０２５１】
同様に、変形テスト・パターン２０及び非変形テスト・パターン４０が単一の像又は一定の間隔で表示される一連の像である場合、前記像収集手段９１は、例えばデジタル・カメラとすることができる。
【０２５２】
実際には、本発明による方法を実行するために、技師は、上記と同様に、受け取った検証対象眼科用レンズ３０を装置１０の第１支持台１１の上に置く。
【０２５３】
構造により、第４実施形態の装置１０は、変形テスト・パターン２０及び非変形テスト・パターン４０の第２及び第３支持台１２、１３が、それぞれ、装置１０にすでに位置づけられている限りにおいて、追加調整を必要としない。
【０２５４】
本発明による方法のその他のステップは、第１実施形態に関して説明した方法と同様である。
【０２５５】
上述したすべての実施形態に共通の１つの変形形態によると、非変形テスト・パターン４０は、調査対象となる局部領域を含んでいる。図１２に示す例では、矩形の非変形テスト・パターン４０は、その中央よりやや上の部分に２つの円４５Ａ、４５Ｂ（ここでは同心円である）により画定される環状領域４４を含んでいる。
【０２５６】
対照的に、図１３に示すように、変形テスト・パターン２０は、円を水平方向に引き延ばした形の特定の物体図形２４を含んでいる。
【０２５７】
検証しようとする光学特性、例えば累進矯正レンズの遠方視屈折力を有する検証対象眼科用レンズ３０経由で図１３の変形テスト・パターン２０の像を形成したとき、図１４に示すような像テスト・パターン５０が得られる。この像テスト・パターン５０もほとんど円形の特定の像図形５１を含んでいる。
【０２５８】
本発明による方法では、図１５に示した検査テスト・パターン６０を得るために、得られた像テスト・パターン５０を図１２の非変形テスト・パターン４０に重ね合わせる。この検査テスト・パターン６０は、調査対象のリング状局部領域６４及びほぼ円形の特定図形６５を含んでいる。特定図形６５が調査対象局部領域６４からわずかに突き出ていることが分かる。
【０２５９】
検証対象眼科用レンズ３０の適合性、ここでは、遠方視屈折力に対する適合性を検証するために、得られた検査テスト・パターン６０を図１６及び１７に示した２つの基準テスト・パターン７１、７２と比較する。
【０２６０】
これらの２つの基準テスト・パターン７１、７２は、次のような極端な場合を表している：
−  第１の基準テスト・パターン７１では、特定図形７３は、調査対象局部領域を形成するリング７４の外側エッジ上に位置している。そして
−  第２の基準テスト・パターン７２では、特定図形７５は、調査対象局部領域を形成するリング７６の内側エッジ上に位置している。
【０２６１】
検査テスト・パターン６０中に存在する特定図形６５の形状及び相対的位置が、例えば、基準テスト・パターン７１、７２により表される２つの極端な状況の間にあるならば、適合性が推定される。したがって、図１５に示した検査テスト・パターン６０の場合には、特定図形６５が調査対象局部領域６４からわずかに突き出ているため、検証対象光学特性、ここでは遠方視屈折力は、期待光学特性に一致しないと推定することができる。
【０２６２】
所与の検証対象眼科用レンズ３０の種々の光学特性の適合性を確認するために、それぞれ、非変形テスト・パターン４０及び関連変形テスト・パターン２０を含む複数対のテスト・パターンの利用を検討することができる。この場合、複数対のテスト・パターンのそれぞれは、検証対象矯正眼科用レンズ３０の特定の側面を検査する役割を果たす：即ち、眼科用レンズ３０の近方視度数、遠方視度数、８５％加入度点の位置、メリディアンの位置又は前面又は後面の形状及び表面仕上げ。
【０２６３】
別の変形形態として、変形テスト・パターンを検証対象眼科用レンズに対して「無限遠点に」置くこと、即ち検証対象眼科用レンズからその焦点距離に比して非常に長い距離に置くことができる。この場合、本発明による方法のステップは変更されない。
【０２６４】
非常に広い範囲にわたる眼科用レンズの光学特性の適合性を検証するために、前記像収集手段と検証対象眼科用レンズの間に追加光学系を挿入することにより、全範囲にわたる種々の眼科用レンズの度数の範囲を制限すること及び検証装置を最大限可能な範囲にわたり使用することも考えられる。追加光学系は、例えば、すべての検証対象眼科用レンズを狭い範囲の遠方視度数に調節することを可能にする自動焦点システム又は種々の一定度数の一連の光学レンズとすることができる。
【０２６５】
最後に、１つの変形形態として、像収集手段も電子処理手段も使用しない検証装置を構想することもできる。それは、例えば、像収集手段の対象物を位置づけるために通常保留されている開口部を解放する装置に関係する。
【０２６６】
この場合、技師は、変形テスト・パターン及び非変形テスト・パターンの像を肉眼により直接観察することができる。これらのテスト・パターンは、技師の心象内でテスト・パターン結合の像として結合される。技師は、次に、観察された検査テスト・パターンを検証対象眼科用レンズに関する少なくとも１つの基準テスト・パターンと比較することができる。
【０２６７】
更に、この基準テスト・パターンは、適切な媒体上に送り出される。それは、例えば、基準テスト・パターンが示されるシートあるいはまたモニタ、携帯電話又はタブレット・コンピュータの表示スクリーンとすることができる。
【図１】
0006453764.tif 000002
【図２】
0006453764.tif 000003
【図３】
0006453764.tif 000004
【図４】
0006453764.tif 000005
【図５】
0006453764.tif 000006
【図６】
0006453764.tif 000007
【図７】
0006453764.tif 000008
【図８】
0006453764.tif 000009
【図９】
0006453764.tif 000010
【図１０】
0006453764.tif 000011
【図１１】
0006453764.tif 000012
【図１２】
0006453764.tif 000013
【図１３】
0006453764.tif 000014
【図１４】
0006453764.tif 000015
【図１５】
0006453764.tif 000016
【図１６】
0006453764.tif 000017
【図１７】
0006453764.tif 000018